(57)【要約】【課題】見栄えが良く、ハンガー類を引っ掛ける場所として使い勝手の良い棚板及び棚板の配置構造を提供することを目的とする。【解決手段】壁２から前方に突出して設けられ、かつ、壁２側の基端部１４から突出方向側端部１３にかけて厚み寸法が一定に設定された棚板１０であって、突出方向側端部１３は、前端面における幅方向に沿って形成された溝部１３ａと、溝部１３ａの下側に位置し、前端部に、上方に突出してハンガー類Ｈが引っ掛けられる引掛部１３ｄが形成された下側突出片１３ｂと、溝部１３ａの上側に位置する上側突出片１３ｃと、を備えて略凹型に形成されており、下側突出片１３ｂは、下側突出片１３ｂに沿って設けられ、当該下側突出片１３ｂを補強する補強部２０を含んで構成されている。【選択図】図１
2019063379.tif 000002
【特許請求の範囲】
【請求項１】
壁から前方に突出して設けられ、かつ、前記壁側の基端部から突出方向側端部にかけて厚み寸法が一定に設定された棚板であって、
前記突出方向側端部は、
当該突出方向側端部の前端面における幅方向に沿って形成された溝部と、
前記溝部の下側に位置し、前端部に、上方に突出してハンガー類が引っ掛けられる引掛部が形成された下側突出片と、
前記溝部の上側に位置する上側突出片と、を備えて略凹型に形成されており、
前記下側突出片は、
前記下側突出片に沿って設けられ、当該下側突出片を補強する補強部を含んで構成されていることを特徴とする棚板。
【請求項２】
請求項１に記載の棚板において、
前記下側突出片は、前記補強部を芯材とし、当該補強部を巻き込むようにして被覆する化粧板を含んで構成されており、
前記化粧板は、
前記補強部の下面を被覆する下面板部と、
前記補強部の前端面を被覆する前面板部と、
前記補強部の上面における前端側を被覆する上面板部と、を備え、前記上面板部が、前記引掛部を構成していることを特徴とする棚板。
【請求項３】
請求項１又は２に記載の棚板において、
前記下側突出片は、前記引掛部を含む前記下側突出片の上面に設けられ、かつ、前端部が前方に露出する見切材を含んで構成されていることを特徴とする棚板。
【請求項４】
請求項１〜３のいずれか一項に記載の棚板において、
前記補強部は、
前記溝部の奥側面に固定される固定板部と、
前記固定板部の下端部に一体形成されるとともに前方に突出し、前記下側突出片を構成する支持板部と、有することを特徴とする棚板。
【請求項５】
請求項４に記載の棚板において、
前記固定板部は、当該固定板部の前面側に設けられた化粧材によって遮蔽されていることを特徴とする棚板。
【請求項６】
請求項１〜５のいずれか一項に記載の棚板において、
当該棚板は、コア材として軽量基材を備えたフラッシュ構造とされていることを特徴とする棚板。
【請求項７】
請求項１〜６のいずれか一項に記載の棚板が、部屋内の壁に設けられており、
前記壁には、前記部屋の内部と外部とを連通する開口部が形成され、
前記棚板は、前記壁のうち前記開口部よりも上方に配置されていることを特徴とする棚板の配置構造。
【請求項８】
請求項１〜６のいずれか一項に記載の棚板が、部屋内の壁に設けられており、
前記壁には、当該壁から前方に突出し、かつ、前記棚板と略等しい厚み寸法に設定された他の棚板が設けられており、
前記他の棚板における前記突出方向側端部は、
当該突出方向側端部の前端面における幅方向に沿って形成された溝部と、
前記溝部の下側に位置し、かつ、前記引掛部を有しない下側突出片と、
前記溝部の上側に位置する上側突出片と、を備えて凹型に形成されており、
前記棚板及び前記他の棚板は、前記壁に並んで配置されていることを特徴とする棚板の配置構造。
【発明の詳細な説明】
【技術分野】
【０００１】
本発明は、棚板及び棚板の配置構造に関する。
【背景技術】
【０００２】
衣類等を吊るすハンガーやピンチハンガー等のような吊り下げ型の整理具（以下、ハンガー類）を屋内で使用する際は、部屋内の長押やカーテンレール、クローゼット内部が利用される。クローゼット内部を利用する場合は、左右の側壁間に架け渡されたハンガーパイプに掛けたり、例えば特許文献１に記載のようなハンガー前框に掛けたりする。
特許文献１に記載のハンガー前框は、クローゼット内部に固定された棚板の前端部に設けられており、下部に、クローゼットの内部側を向いた断面フック状のハンガー掛け部を備えている。このようなハンガー前框を使用した場合、ハンガー掛け部にハンガー類を掛けられるのは勿論のこと、棚板の上面に荷物を置くこともできるので利便性に優れる。
【先行技術文献】
【特許文献】
【０００３】
【特許文献１】実用新案登録第３０７９７９８号公報
【発明の概要】
【発明が解決しようとする課題】
【０００４】
ところで、ハンガー類を部屋内に掛けるに当たって長押やカーテンレールを利用する場合は、ハンガー類が掛けられる部位から壁や窓までの距離が近く、ハンガー類が壁や窓に当たって傾いてしまったり、窓の結露で衣類が濡れてしまったりして、使い勝手が良くない場合があった。
そこで、特許文献１に記載のようなハンガー前框付き棚板を部屋内に転用し、ハンガー類を掛けやすくすることが考えられる。ところが、特許文献１に記載のようなハンガー前框は、棚板よりも下方に突出するハンガー掛け部を備えているため、部屋にいる人がハンガー前框付き棚板を見た際に、棚板の前端部のみが分厚く見えてしまい、見栄えが良くない場合があった。
【０００５】
本発明は上記事情に鑑みてなされたものであり、見栄えが良く、ハンガー類を引っ掛ける場所として使い勝手の良い棚板及び棚板の配置構造を提供することを目的とする。
【課題を解決するための手段】
【０００６】
請求項１に記載の発明は、例えば図１〜図７，図９に示すように、壁２から前方に突出して設けられ、かつ、前記壁２側の基端部１４から突出方向側端部１３にかけて厚み寸法が一定に設定された棚板１０であって、
前記突出方向側端部１３は、
当該突出方向側端部１３の前端面における幅方向に沿って形成された溝部１３ａと、
前記溝部１３ａの下側に位置し、前端部に、上方に突出してハンガー類Ｈが引っ掛けられる引掛部１３ｄが形成された下側突出片１３ｂと、
前記溝部１３ａの上側に位置する上側突出片１３ｃと、を備えて略凹型に形成されており、
前記下側突出片１３ｂは、
前記下側突出片１３ｂに沿って設けられ、当該下側突出片１３ｂを補強する補強部（補強アングル２０）を含んで構成されていることを特徴とする。
【０００７】
請求項１に記載の発明によれば、棚板１０の厚み寸法が、基端部１４から突出方向側端部１３にかけて一定に設定されているので、全体的には、一定の厚みに設定されたシンプルな棚板１０として認識されることになる。その一方で、突出方向側端部１３は、溝部１３ａと下側突出片１３ｂと上側突出片１３ｃとを備えて略凹型に形成されているため意匠性があり、見栄えが良い。
また、下側突出片１３ｂの前端部には、上方に突出してハンガー類Ｈが引っ掛けられる引掛部１３ｄが形成されているため、ハンガー類Ｈを確実に引っ掛けることができるとともに、引っ掛けられたハンガー類Ｈが落ちにくくなる。さらに、このように、棚板１０の突出方向側端部１３が、ハンガー類Ｈを引っ掛けるための箇所となるので、ハンガー類Ｈが掛けられる部位から壁２までの距離が遠くなり、ハンガー類Ｈが壁２に当たって傾くなどの不具合が起きにくく、使い勝手が良い。加えて、ハンガー類Ｈを、棚板１０の上面に引っ掛ける必要がなくなるため、棚板１０の上面に荷物を載せたり、棚板１０の上面から荷物を引き出したりしやすい。なお、ハンガー類Ｈを、傾かないようにして棚板１０の上面に引っ掛ける場合は、ハンガー類Ｈの引っ掛け部分（フック）の高さ寸法が棚板１０の厚み寸法よりも大きい必要があり、棚板１０をある程度の厚み寸法に形成しようとしても限界があったが、上述のように、突出方向側端部１３が、ハンガー類Ｈを引っ掛けるための箇所となるので、棚板１０の厚み寸法を自由に設定することも可能となる。
しかも、ハンガー類Ｈが引っ掛けられる下側突出片１３ｂは、当該下側突出片１３ｂに沿って設けられた補強部（補強アングル２０）によって補強されているため、衣類等が掛けられたハンガー類Ｈを複数引っ掛けても破損せずに十分に堪えることができる。換言すれば、下側突出片１３ｂの前端部に引掛部１３ｄが形成され、下側突出片１３ｂが補強部を含んで構成されることで、ハンガー類Ｈを引っ掛ける場所として十分に機能するので使い勝手が良い。
【０００８】
請求項２に記載の発明は、例えば図１，図２に示すように、請求項１に記載の棚板１０において、
前記下側突出片１３ｂは、前記補強部（補強アングル２０）を芯材とし、当該補強部を巻き込むようにして被覆する化粧板１５を含んで構成されており、
前記化粧板１５は、
前記補強部の下面を被覆する下面板部１５ａと、
前記補強部の前端面を被覆する前面板部１５ｂと、
前記補強部の上面における前端側を被覆する上面板部１５ｃと、を備え、前記上面板部１５ｃが、前記引掛部１３ｄを構成していることを特徴とする。
【０００９】
請求項２に記載の発明によれば、下側突出片１３ｂは、補強部（補強アングル２０）を芯材とし、当該補強部を巻き込むようにして被覆する化粧板１５を含んで構成されているので、補強部を遮蔽しつつ下側突出片１３ｂを補強することができ、見栄えが良い。
また、補強部を被覆する化粧板１５のうち上面板部１５ｃが、補強部の上面における前端側を被覆することで、上面板部１５ｃと補強部の上面とに段差が形成されることになる。そして、当該段差を、ハンガー類Ｈを引っ掛けることが可能な引掛部１３ｄとして利用できるため、補強部を遮蔽しつつ引掛部１３ｄを構成することができ、都合が良い。
【００１０】
請求項３に記載の発明は、例えば図１〜図３，図７，図９に示すように請求項１又は２に記載の棚板１０において、
前記下側突出片、前記引掛部１３ｄを含む前記下側突出片１３ｂの上面に設けられ、かつ、前端部が前方に露出する見切材１６を含んで構成されていることを特徴とする。
【００１１】
請求項３に記載の発明によれば、引掛部１３ｄを含む下側突出片１３ｂの上面に見切材１６が設けられているため、この見切材１６によって、ハンガー類Ｈが引っ掛けられる下側突出片１３ｂの上面を保護することができる。その上、見切材１６の前端部は前方に露出するので、ハンガー類Ｈを引っ掛ける部位として目に付きやすくすることができる。
【００１２】
請求項４に記載の発明は、例えば図１，図２に示すように、請求項１〜３のいずれか一項に記載の棚板１０において、
前記補強部（補強アングル２０）は、
前記溝部１３ａの奥側面に固定される固定板部２０ａと、
前記固定板部２０ａの下端部に一体形成されるとともに前方に突出し、前記下側突出片１３ｂを構成する支持板部２０ｂと、有することを特徴とする。
【００１３】
請求項４に記載の発明によれば、補強部（補強アングル２０）は、溝部１３ａの奥側面に固定される固定板部２０ａと、固定板部２０ａの下端部に一体形成されるとともに前方に突出する支持板部２０ｂと、有するので、下側突出片１３ｂに引っ掛けられたハンガー類Ｈの荷重を、固定板部２０ａを通じて溝部１３ａの奥側面にも分散することができる。
【００１４】
請求項５に記載の発明は、例えば図１，図２に示すように、請求項４に記載の棚板１０において、
前記固定板部２０ａは、当該固定板部２０ａの前面側に設けられた化粧材２１によって遮蔽されていることを特徴とする。
【００１５】
請求項５に記載の発明によれば、固定板部２０ａは、当該固定板部２０ａの前面側に設けられた化粧材２１によって遮蔽されているので、固定板部２０ａの露出を防ぐことができ、見栄えが良い。
【００１６】
請求項６に記載の発明は、例えば図１，図５に示すように、請求項１〜５のいずれか一項に記載の棚板１０において、
当該棚板１０は、コア材として軽量基材１７を備えたフラッシュ構造とされていることを特徴とする。
【００１７】
請求項６に記載の発明によれば、棚板１０は、コア材として軽量基材１７を備えたフラッシュ構造とされているので、強度を維持しつつ軽量化を図ることができる。そのため、棚板１０が設けられる壁２の負担を軽減できる。
【００１８】
請求項７に記載の発明は、棚板１０の配置構造であって、例えば図３，図４，図７に示すように、請求項１〜６のいずれか一項に記載の棚板１０が、部屋１内の壁２に設けられており、
前記壁２には、前記部屋１の内部と外部とを連通する開口部３が形成され、
前記棚板１０は、前記壁２のうち前記開口部３よりも上方に配置されていることを特徴とする。
【００１９】
請求項７に記載の発明によれば、部屋１内の壁２に設けられた棚板１０が、壁２に形成された開口部３よりも上方に配置されているので、棚板１０の突出方向側端部１３にハンガー類Ｈによって吊るされた衣類等が濡れていた場合に、開口部３を通過する空気によって乾燥させることができる。
【００２０】
請求項８に記載の発明は、棚板１０の配置構造であって、例えば図７〜図９に示すように、請求項１〜６のいずれか一項に記載の棚板１０が、部屋１内の壁２に設けられており、
前記壁２には、当該壁２から前方に突出し、かつ、前記棚板１０と略等しい厚み寸法に設定された他の棚板３０が設けられており、
前記他の棚板３０における前記突出方向側端部３３は、
当該突出方向側端部３３の前端面における幅方向に沿って形成された溝部３３ａと、
前記溝部３３ａの下側に位置する下側突出片３３ｂと、
前記溝部３３ａの上側に位置する上側突出片３３ｃと、を備えて凹型に形成されており、
前記棚板１０及び前記他の棚板３０は、前記壁２に並んで配置されていることを特徴とする。
【００２１】
請求項８に記載の発明によれば、棚板１０と略等しい厚み寸法に設定され、引掛部１３ｄを有しない他の棚板３０における突出方向側端部３３が、棚板１０と同様に、溝部３３ａと下側突出片３３ｂと上側突出片３３ｃとを備えて凹型に形成されているので、類似する形状の複数の棚板１０，３０が部屋１内の壁２に並んで配置されることになる。これにより、部屋１内の印象を、引掛部１３ｄを有する棚板１０だけを部屋１内の壁２に設けた場合とは異なるものとすることができ、見栄えの良さを向上させるのに貢献できる。また、このように類似する形状の複数の棚板１０，３０が部屋１内の壁２に並んで配置された場合でも、ハンガー類Ｈを引っ掛ける場所を確保できるので、使い勝手が良い。
【発明の効果】
【００２２】
本発明によれば、全体的には、一定の厚みに設定されたシンプルな棚板として認識される一方で、突出方向側端部は意匠性があり、見栄えが良い。また、下側突出片の前端部に引掛部が形成され、下側突出片が補強部を含んで構成されることで、ハンガー類を引っ掛ける場所として十分に機能するので使い勝手が良い。
【図面の簡単な説明】
【００２３】
【図１】棚板を示す側断面図である。
【図２】棚板の突出方向側端部を示す側断面図である。
【図３】棚板の配置構造の一例を示す斜視図である。
【図４】図３に示す棚板の配置構造の側面図である。
【図５】棚板の幅方向側端部を固定する構造を示す斜視図である。
【図６】棚板の基端部を示す側断面図である。
【図７】棚板の配置構造の一例を示す図である。
【図８】他の棚板を示す側断面図である。
【図９】棚板の配置構造の一例を示す図である。
【発明を実施するための形態】
【００２４】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２５】
図１等において符号１０は、棚板を示す。この棚板１０は、部屋１の壁２から前方に突出して設けられ、かつ、壁２側の基端部から突出方向側端部にかけて厚み寸法が一定に設定されたものである。また、この棚板１０は、壁２から突出寸法よりも幅寸法が長尺になるように形成されている。
さらに、棚板１０は、コア材の一部として軽量基材１７を備えたフラッシュ構造とされており、同サイズの木製棚板に比して軽量である。
このような棚板１０は、壁２に取り付けられる受部１１と、この受部１１に対して固定されるフラッシュ構造の棚板本体１２と、を基本構造としている。
【００２６】
受部１１は、本実施形態においては、例えばＬＶＬ（Laminated Veneer Lumber：単層積層材）や角材からなる桟材であり、壁２に対して水平に取り付けられている。
このような受部１１は、釘やビス等の固定具１１ａによって壁２に固定されている。固定具１１ａが設けられる位置は、固定具１１ａの頭部が飛び出さないように座堀加工されている。
【００２７】
棚板本体１２の突出方向側端部１３は、壁２から最も離間した位置にあり、部屋１内から見た場合に、視界に入りやすい箇所となっている。そのため、当該突出方向側端部１３は、意匠性が高くなるように、前方に向かって開放するようにして略凹型に形成されている。
より詳細に説明すると、突出方向側端部１３は、当該突出方向側端部１３の前端面における幅方向に沿って形成された溝部１３ａと、溝部１３ａの下側に位置する下側突出片１３ｂと、溝部１３ａの上側に位置する上側突出片１３ｃと、を備えて略凹型に形成されている。このような突出方向側端部１３における略凹型形状は、棚板本体１２の幅方向に亘って連続するように形成されている。つまり、溝部１３ａの棚板本体１２の幅方向一端から他端まで形成されている。
【００２８】
そして、このような突出方向側端部１３は、部屋１内において、衣類等を吊るすハンガーやピンチハンガー等のような吊り下げ型の整理具（以下、ハンガー類Ｈ）が引っ掛けられる場所として機能する。
より詳細に説明すると、図１に示すように、溝部１３ａが、ハンガー類Ｈのフックが入り込むスペースとして機能し、下側突出片１３ｂが、ハンガー類Ｈのフックが実際に引っ掛けられる部位として機能する。
また、下側突出片１３ｂの前端部には、上方に突出してハンガー類Ｈのフックが引っ掛けられる引掛部１３ｄが形成されており、ハンガー類Ｈが落ちにくくなっている。
【００２９】
棚板本体１２の基端部１４には、壁２に取り付けられた受部１１が嵌め込まれる嵌合溝１４ａが形成されている。すなわち、嵌合溝１４ａは、略凹型に形成された突出方向側端部１３とは反対の方向に向かって開放された状態となっている。
なお、棚板本体１２の基端部１４における嵌合溝１４ａは、接着剤により受部１１に固定されている。
【００３０】
棚板本体１２は、コア材と、コア材を被覆する化粧板１５と、を備えている。換言すれば、棚板本体１２は、表面の大部分が化粧板１５によって被覆されており、この化粧板１５によって被覆された部分が、コア材とされている。
このような棚板本体１２は、さらに、見切材１６を備えている。見切材１６は、棚板本体１２における突出方向側端部１３の、引掛部１３ｄを含む下側突出片１３ｂの上面に設けられ、前端部が前方（部屋１の中央側に向かう方向）に露出している。
【００３１】
化粧板１５は、例えばＭＤＦ(medium density fiberboard：中密度繊維板）製の下地板材の表面に化粧シートが貼り付けられたものである。
下地板材は、ＭＤＦ製であるとしたが、これに限られるものではなく、その他のファイバーボード、木質ボード等を用いてもよい。
化粧シートには、例えば木目等の模様が施されてもよいし、無地であってもよい。
そして、このような化粧板１５は、コア材に取り付けられることにより、棚板本体１２の突出方向側端部１３における下側突出片１３ｂ及び上側突出片１３ｃと、基端部１４における嵌合溝１４ａと、を構成している（後述する。）。
より詳細に説明すると、化粧板１５は、コア材の上面及び下面のそれぞれに対し、コア材よりも前方（部屋１の中央側に向かう方向）及び後方（壁２側に向かう方向）に突出するようにして貼り付けられている。そして、上下それぞれの化粧板１５の前方に突出する端部によって下側突出片１３ｂ及び上側突出片１３ｃが構成され、後方に突出する端部によって嵌合溝１４ａが構成されている。
【００３２】
続いて、コア材には、図１，図２に示すように、軽量基材１７と、固定下地材１８と、突出下地材１９と、補強部である補強アングル２０と、補強アングル２０用の化粧材２１と、が含まれている。
【００３３】
軽量基材１７は、木材よりも軽量であり、紙材がハニカム状に形成されたペーパーハニカムによって構成されている。
また、軽量基材１７としては、ペーパーハニカム以外にも発泡ウレタンや発泡スチロールなどを用いることが可能である。
このような軽量基材１７の上下面には、上下の化粧板１５がそれぞれ接着された状態となっている。
【００３４】
固定下地材１８は、例えばＬＶＬ（Laminated Veneer Lumber：単層積層材）や角材からなる芯材であり、軽量基材１７の前端部に位置するように設けられている。また、この固定下地材１８は、溝部１３ａの奥側（壁２側）に位置した状態となっている。
固定下地材１８は、図１，図２に示すように、上下の化粧板１５，１５間の間隔と略等しい上下寸法に設定された第一部位１８ａと、この第一部位１８ａと一体であり、かつ上下の化粧板１５，１５間の間隔よりも短い上下寸法に設定された第二部位１８ｂと、から構成されている。第一部位１８ａは、固定下地材１８の前端部側を構成し、第二部位１８ｂは、固定下地材１８における後端部上側に位置して固定下地材１８の後端部側を構成しており、第一部位１８ａの上面と第二部位１８ｂの上面は面一となっている。つまり、固定下地材１８の後端部下側には切欠きが形成された状態となっている。そして、固定下地材１８（第一部位１８ａ及び第二部位１８ｂ）の上面には、突出下地材１９が取り付けられている。
また、固定下地材１８の下面（すなわち、第一部位１８ａ）の下面には、下側の化粧板１５が接着されている。一方、固定下地材１８の後端面（すなわち、第二部位１８ｂの後端面）と、軽量基材１７の前端面は非接着状態となっている。
固定下地材１８に形成された切欠きは、後述する側受部１１０の前端部に形成された切欠凸部１１０ａに対応するものである。また、このように固定下地材１８に切欠きが形成されることで、棚板１０の軽量化に貢献できるので好ましい。
【００３５】
なお、本実施形態における固定下地材１８の切欠きは、固定下地材１８の長さ方向に連続して形成されており、長さ方向のいずれの箇所で断面を取っても切欠きが形成されている。そのため、例えば棚板本体１２の幅寸法を現場で調整する必要がある場合に、棚板本体１２をいずれの位置で切断しても、固定下地材１８の後端部下側に切欠きを確保することができるので、現場での寸法調整に対応しやすい。
ただし、これに限られるものではなく、側受部１１０の切欠凸部１１０ａに対応する位置にだけ切欠きが形成されるものとしてもよい。
【００３６】
突出下地材１９は、木質の板材であり、固定下地材１８（第一部位１８ａ及び第二部位１８ｂ）の上面に取り付けられている。この突出下地材１９は、固定下地材１８の前端面よりも前方に突出しており、化粧板１５によって上面と前端面と下面の一部とが被覆されている。これにより、棚板本体１２の突出方向側端部１３における上側突出片１３ｃが構成されている。なお、上側の化粧板１５は、突出下地材１９の上面に接着されている。
すなわち、棚板本体１２の突出方向側端部１３における上側突出片１３ｃは、突出下地材１９と、この突出下地材１９を巻き込むようにして被覆する上側の化粧板１５と、によって構成された状態となっている。
【００３７】
より詳細に説明すると、上側の化粧板１５における前端部は、突出下地材１９の前端部で折り返すようにして当該突出下地材１９を被覆している。
また、上側の化粧板１５における前端部の、折り返し方向の端部（以下、折り返し端部Ｅ２）と、固定下地材１８の前端面との間には隙間Ｓ２が形成されている。この隙間Ｓ２には、後述する固定板部２０ａ及び化粧材２１の上端部が差し込まれる。なお、隙間Ｓ２の天井面は、突出下地材１９によって構成されている。
【００３８】
補強アングル２０は、下側突出片１３ｂに沿って設けられ、当該下側突出片１３ｂを補強する金属製の補強部であり、下側突出片１３ｂの幅方向に沿って長尺に形成されている。また、この補強アングル２０は、溝部１３ａの奥側面に固定される固定板部２０ａと、この固定板部２０ａの下端部に一体形成されるとともに前方に突出する支持板部２０ｂと、有する。
【００３９】
固定板部２０ａは、図示しないビス等の固定具又は接着剤によって、溝部１３ａの屋外に配置された固定下地材１８の前端面に対して固定されている。固定下地材１８は、この固定板部２０ａによって遮蔽された状態となっている。
なお、固定板部２０ａの高さ寸法（上下寸法）は、固定下地材１８の高さ寸法（上下寸法）と略等しいか、若干短く設定されている。そして、その上端部は、上側の化粧板１５における折り返し端部Ｅ２と、固定下地材１８の前端面との間の、隙間Ｓ２に差し込まれている。
【００４０】
支持板部２０ｂは、固定板部２０ａの下端部から前方に突出しており、その突出寸法は、突出下地材１９が、固定下地材１８の前端面から突出する寸法と略等しく設定されている。そして、このような支持板部２０ｂは、化粧板１５によって下面と前端面と上面の一部とが被覆されている。これにより、棚板本体１２の突出方向側端部１３における下側突出片１３ｂが構成されている。すなわち、下側突出片１３ｂは、補強アングル２０の支持板部２０ｂと、この支持板部２０ｂを巻き込むようにして被覆する下側の化粧板１５と、によって構成された状態となっている。
なお、支持板部２０ｂの突出寸法と、突出下地材１９の突出寸法が略等しく設定されているため、棚板本体１２の突出方向側端部１３における下側突出片１３ｂと上側突出片１３ｃの前方への突出寸法も略等しく設定されている。
【００４１】
より詳細に説明すると、棚板本体１２の突出方向側端部１３における下側突出片１３ｂは、補強部である支持板部２０ｂを芯材とし、当該支持板部２０ｂを巻き込むようにして被覆する下側の化粧板１５を含んで構成されている。
下側の化粧板１５は、その前端部が、固定下地材１８の前端面よりも突出しており、支持板部２０ｂの下面を被覆する下面板部１５ａと、支持板部２０ｂの前端面を被覆する前面板部１５ｂと、支持板部２０ｂの上面における前端側を被覆する上面板部１５ｃと、を備えた状態となっている。
すなわち、下側の化粧板１５における前端部は、支持板部２０ｂの前端部で折り返すようにして当該支持板部２０ｂを被覆している。また、これにより、下面板部１５ａと上面板部１５ｃとの間に、前面板部１５ｂ分の高さの隙間Ｓ１が形成されており、この隙間Ｓ１に、支持板部２０ｂの前端部が差し込まれた状態となっている。
また、下側の化粧板１５における上面板部１５ｃは、上述のように、支持板部２０ｂの上面における前端側を被覆するものであるため、支持板部２０ｂの上面における後端側（固定板部２０ａ側）を被覆していない状態となっている。このような支持板部２０ｂの被覆状態とすることによって、下側突出片１３ｂにおける上面に、引掛部１３ｄが形成された状態となっている。つまり、下側突出片１３ｂにおける引掛部１３ｄは、下側の化粧板１５における前端部の、折り返し方向の端部（以下、折り返し端部Ｅ１）によって構成されている。さらに換言すれば、引掛部１３ｄは、下側の化粧板１５における折り返し端部Ｅ１と、支持板部２０ｂの上面との間に形成された段差を利用して構成されたものとなっている。
【００４２】
また、支持板部２０ｂの奥行き寸法（前後方向の寸法）は、固定下地材１８の前端面から、下側の化粧板１５における前面板部１５ｂまでの長さ寸法と略等しいか、若干短く設定されている。
【００４３】
なお、本実施形態においては、補強部として補強アングル２０が用いられるものとしたが、これに限られるものではなく、突出下地材１９のような形状の金属製の板材を用いてもよい。金属製板状の補強部を採用した場合は、突出下地材１９と対称になるように、固定下地材１８の下面に対して固定される。固定下地材１８の上下寸法は、金属製板状の補強部の厚み分だけ短く設定される。
【００４４】
化粧材２１は、補強アングル２０における固定板部２０ａを遮蔽（被覆）する化粧幕板であり、固定板部２０ａの前面側に設けられている。本実施形態における化粧材２１の前面は、上側及び下側の化粧板１５の表面と同一の化粧面とされており、部屋１の中央から棚板１０を見た人に対して、統一性のある印象を付与することができる。
この化粧材２１の高さ寸法（上下寸法）は、支持板部２０ｂの上面から固定板部２０ａの上端部までの長さ寸法と略等しく設定されている。そして、その上端部は、上側の化粧板１５における折り返し端部Ｅ２と、固定下地材１８の前端面との間の、隙間Ｓ２に差し込まれている。
【００４５】
なお、化粧材２１は、本実施形態においては幕板であるとしたが、これに限られるものではなく、固定板部２０ａの前面に貼り付けられた化粧シールでもよいし、固定板部２０ａの前面に塗布された塗料でもよい。
【００４６】
続いて、見切材１６は、上述のように、引掛部１３ｄを含む下側突出片１３ｂの上面に設けられ、前端部が前方に露出する金属製のものであり、図１，図２に示すように、下側板部１６ａと、垂直板部１６ｂと、上側板部１６ｃと、を有する。
下側板部１６ａは、補強アングル２０の支持板部２０ｂにおける露出する上面に接して設けられている。
垂直板部１６ｂは、下側板部１６ａの前端部に一体形成されているとともに、垂直方向の上方に突出しており、引掛部１３ｄに対応する高さ寸法に設定されている。
上側板部１６ｃは、垂直板部１６ｂの上端部に一体形成されているとともに、前方に突出しており、引掛部１３ｄの上面を被覆した状態となっている。そして、その前端部が前方に露出している。
そして、このような見切材１６は、図示しないビス等の固定具又は接着剤によって、引掛部１３ｄを含む下側突出片１３ｂの上面に固定されている。すなわち、下側の化粧板１５における折り返し端部Ｅ１を被覆するようにして、下側突出片１３ｂの上面に設けられた状態となっている。これにより、引掛部１３ｄに引っ掛けられたハンガー類Ｈによる、引掛部１３ｄ（すなわち、下側の化粧板１５における折り返し端部Ｅ１）の捲れを防ぐことができる。
【００４７】
以上のように構成された棚板１０にハンガー類Ｈが引っ掛けられる場合、下側突出片１３ｂの芯材として、固定下地材１８に固定された金属製の補強アングル２０が用いられているので、当該補強アングル２０の支持板部２０ｂがハンガー類Ｈの荷重を直接的に支持し、固定板部２０ａによって固定下地材１８側に荷重を分散できるようになっている。
【００４８】
以上のように構成された棚板本体１２において、上側の化粧板１５における前端部と、下側の化粧板１５における前端部は、製造段階で、既知の技術（例えば、特開２００９−０６１５１３号公報に記載の技術を参照。）によって折り曲げ加工され、図２に示すように、隙間Ｓ１，Ｓ２が形成された状態となる。
そして、補強アングル２０及び化粧材２１は、棚板本体１２の側方からスライドするようにして溝部１３ａに設けられる。この時、補強アングル２０における上端部（固定板部２０ａの上端部）が隙間Ｓ２内に位置し、かつ、補強アングル２０における前端部（支持板部２０ｂの前端部）が隙間Ｓ１内に位置するようにして、補強アングル２０が溝部１３ａに設けられる。化粧材２１も、その上端部が隙間Ｓ２内に位置するようにして、溝部１３ａに設けられる。
見切材１６は、補強アングル２０及び化粧材２１が溝部１３ａに設けられた後に、下側突出片１３ｂの上面に設けられるのが好ましい。
【００４９】
嵌合溝１４ａは、上下それぞれの化粧板１５と、軽量基材１７の後端面とを含んで構成されており、側断面視において凹型に形成されている。このような凹型の嵌合溝１４ａに受部１１が嵌まり込むようにして棚板１０を壁２に設ける場合は、嵌合溝１４ａ（上下の化粧板１５及び軽量基材１７の後端面）と受部１１との接触面が接着剤によって接着されている。
【００５０】
なお、棚板本体１２の側面が部屋１内に露出する場合は、この棚板本体１２の側面にも化粧材が設けられており、コア材が遮蔽された状態となっている。
図３に示すように、棚板１０が、直交する二つの壁２，２ａの入隅コーナー部２ｂに設けられるなどして、棚板本体１２の側面が部屋１内に露出しない場合は、壁２ａ際に位置する側面の化粧材は設けられなくてもよい。
【００５１】
次に、図面を参照して、以上のような構成の棚板１０が、部屋１内の壁２に設けられてなる棚板１０の配置構造について説明する。
【００５２】
図３，図４に示す部屋１は、一方の壁２と、この一方の壁２に直交する壁２ａを備え、これら双方の壁２，２ａによって入隅コーナー部２ｂが形成された状態となっている。
また、一方の壁２には、部屋１の内部と外部とを連通する開口部３が形成されており、棚板１０は、壁２のうち開口部３よりも上方に配置されている。
【００５３】
開口部３は、本実施形態においては屋外に通じる窓（図示例では掃き出し窓）であり、当該開口部３を開閉する建具である窓サッシが嵌め込まれている。
また、この開口部３の屋内側には、カーテン４が設けられており、日射しや屋外からの視線を遮ることができるようになっている。
【００５４】
棚板１０は、上述のように、壁２のうち開口部３よりも上方に配置されているため、突出方向側端部１３にハンガー類Ｈを引っ掛けて、衣類等を乾燥させるのに好適となっている。すなわち、窓際は、日射しが当たりやすく、開口部３を開放させれば風も通るので、衣類等の乾燥に適した場所であり、このような場所に衣類等を吊るしておければ、衣類等が濡れていても乾燥しやすい。
【００５５】
なお、棚板１０が、壁２と、この壁２に直交する壁２ａの双方に接するように設けられる場合は、図５に示すように、一方の壁２に受部１１を取り付け、他方の壁２ａに側受部１１０を取り付けて、棚板１０の基端部１４に嵌合溝１４ａを形成し、壁２ａ側端部１４０に嵌合溝１４０ａを形成し、双方の壁２，２ａに対して棚板１０を固定するようにしてもよい。このように二つの側面を壁２，２ａに固定できれば、取付強度が格段に向上するため、図示例のように、棚板１０上面に荷物を載せても十分に耐えることができ、後述のように、カーテン４を吊るす場合においても好適である。
【００５６】
棚板１０の側端部１４０を受ける側受部１１０は、受部１１と同様に、例えばＬＶＬ（Laminated Veneer Lumber：単層積層材）や角材からなる桟材であり、棚板１０の奥行き方向に沿って長尺に形成されるとともに、壁２ａに対して水平に取り付けられている。また、側受部１１０は、釘やビス等の固定具１１ａによって壁２ａに固定されている。
また、この側受部１１０の前端部には、図５に示すように、棚板本体１２の突出方向側端部１３に設けられた固定下地材１８の切欠きに対応する切欠凸部１１０ａが形成されている。切欠凸部１１０ａは、固定下地材１８の切欠きに嵌まり込むように寸法設定されて形成されている。これにより、側端部１４０が壁２ａに接するように設けられる棚板１０は、前端部が、側受部１１０の前端部によって下方から支持されたような状態となるので、棚板１０自体や、ハンガー類Ｈ等の荷重を支持する上で好適である。つまり、壁２ａに固定された側受部１１０は、単に、棚板１０の側端部１４０に形成された嵌合溝１４０ａに嵌まるだけでなく、固定下地材１８と係合したような状態となるので、棚板１０の設置強度を向上させることが可能となっている。
【００５７】
棚板１０は、窓である開口部３の上方に設けられているため、図６に示すように、当該棚板１０の下面には、カーテン４を吊るすためのカーテンレール４ａが設けられている。
より詳細に説明すると、棚板本体１２を構成するコア材には、カーテンレール４ａが取り付けられる棚板本体１２の基端部１４を補強する補強構造部２２が含まれている。この補強構造部２２が設けられる位置においては、補強構造部２２の前後寸法の分だけ、軽量基材１７の前後方向の寸法が短く設定されているものとする。すなわち、嵌合溝１４ａの前後方向の溝深さが深くなる。
また、受部１１も、上下寸法が短くなるように設定されている。
【００５８】
補強構造部２２は、軽量基材１７の後端部に設けられた後端芯材２２ａと、カーテンレール４ａ用のビス等の固定具が留め付けられる取付下地板２２ｂと、この取付下地板２２ｂの上方に対向して設けられた上面板部２２ｃと、を備えている。
取付下地板２２ｂは、固定具が留め付けられるのに十分な厚みを有しており、受部１１のうち補強構造部２２が設けられる箇所においては、取付下地板２２ｂの厚み寸法の分だけ、上下寸法が短くなっている。また、このように上下寸法が短い箇所の受部１１と、後端芯材２２ａの上下寸法は略等しく設定されている。
さらに、補強構造部２２の上下寸法は、棚板本体１２における上側の化粧板１５と下側の化粧板１５との間隔寸法と略等しく設定されている。
補強構造部２２を構成する後端芯材２２ａと、取付下地板２２ｂと、上面板部２２ｃは、現場で組み立てるようにしてもよいし、予め工場等で断面コ字状となるように組み立てておいてもよい。すなわち、後端芯材２２ａと、取付下地板２２ｂと、上面板部２２ｃは、予め一体的に組み立てられていてもよい。このように後端芯材２２ａと、取付下地板２２ｂと、上面板部２２ｃが一体的に組み立てられていれば、現場では補強構造部２２を組み立てる必要がなく、補強構造部２２を受部１１に被せるようにして取り付け、このような補強構造部２２に棚板本体１２を被せるようにして取り付けることができるので、現場での作業工程を軽減できる。
【００５９】
補強構造部２２は、棚板本体１２が受部１１に取り付けられる前に、上下寸法が短い箇所の受部１１に対してビス等の固定具（接着剤を併用してもよい）により固定される。
棚板本体１２は、補強構造部２２が受部１１に固定された後に、当該補強構造部２２を内包するような状態で受部１１に取り付けられる。つまり、補強構造部２２は、受部１１を含んだ状態でボックス状に形成されたような状態となる。これにより、棚板本体１２の基端部１４において、上側の化粧板１５と下側の化粧板１５との間に補強構造部２２が遮蔽された状態で設けられ、カーテンレール４ａを取り付けるための強固な下地とすることができる。
カーテンレール４ａは、棚板１０の下面側から補強構造部２２の取付下地板２２ｂに向かってビス等の固定具が設けられることで、棚板１０の下面に固定されている。
【００６０】
なお、本実施形態においては、開口部３を、屋外に通じる窓としたが、これに限られるものではなく、隣接する部屋同士を連通する開口部や、隣接する部屋と廊下を連通する開口部であってもよい。すなわち、部屋１の出入口の上方に棚板１０を配置してもよいものとする。
また、このように部屋１の出入口の上方に棚板１０を配置する場合は、出入口を開閉するドアの開閉方向に留意する必要がある。すなわち、ドアが、いわゆる開き戸である場合、部屋１に対して外側に開くか、内側に開くことになる。そして、ドアの開く方向に対応する壁の壁面に棚板１０が設けられてしまうと、下側突出片１３ｂにハンガー類Ｈを引っ掛けた際に、ドアを開けにくくなってしまう場合がある。そのため、棚板１０を出入口の上方に配置する場合は、ドアの開き方向とは反対側に位置する壁面に配置することが望ましい。
【００６１】
さらに、棚板１０は、三方の壁に固定されるようにして設けられてもよい。この場合、棚板１０の基端部１４は、受部１１によって受けられ、棚板１０における幅方向の両側端部１４０，１４０は、側受部１１０，１１０によって受けられる。すなわち、棚板１０は、基端部１４及び両側端部１４０，１４０が三方の壁にそれぞれ固定されることになるので、棚板１０の設置強度を格段に向上させることができる。
【００６２】
本実施の形態によれば、棚板１０の厚み寸法が、基端部１４から突出方向側端部１３にかけて一定に設定されているので、全体的には、一定の厚みに設定されたシンプルな棚板１０として認識されることになる。その一方で、突出方向側端部１３は、溝部１３ａと下側突出片１３ｂと上側突出片１３ｃとを備えて略凹型に形成されているため意匠性があり、見栄えが良い。
また、下側突出片１３ｂの前端部には、上方に突出してハンガー類Ｈが引っ掛けられる引掛部１３ｄが形成されているため、ハンガー類Ｈを確実に引っ掛けることができるとともに、引っ掛けられたハンガー類Ｈが落ちにくくなる。さらに、このように、棚板１０の突出方向側端部１３が、ハンガー類Ｈを引っ掛けるための箇所となるので、ハンガー類Ｈが掛けられる部位から壁２までの距離が遠くなり、ハンガー類Ｈが壁２に当たって傾くなどの不具合が起きにくく、使い勝手が良い。加えて、ハンガー類Ｈを、棚板１０の上面に引っ掛ける必要がなくなるため、棚板１０の上面に荷物を載せたり、棚板１０の上面から荷物を引き出したりしやすい。なお、ハンガー類Ｈを、傾かないようにして棚板１０の上面に引っ掛ける場合は、ハンガー類Ｈのフックの高さ寸法が棚板１０の厚み寸法よりも大きい必要があり、棚板１０をある程度の厚み寸法に形成（すなわち、厚み寸法を大きく）しようとしても限界があったが、上述のように、突出方向側端部１３が、ハンガー類Ｈを引っ掛けるための箇所となるので、棚板１０の厚み寸法を自由に設定することも可能となる。
しかも、ハンガー類Ｈが引っ掛けられる下側突出片１３ｂは、当該下側突出片１３ｂに沿って設けられた補強部である補強アングル２０によって補強されているため、衣類等が掛けられたハンガー類Ｈを複数引っ掛けても破損せずに十分に堪えることができる。換言すれば、下側突出片１３ｂの前端部に引掛部１３ｄが形成され、下側突出片１３ｂが補強アングル２０の支持板部２０ｂを含んで構成されることで、ハンガー類Ｈを引っ掛ける場所として十分に機能するので使い勝手が良い。
さらに、引掛部１３ｄを含む下側突出片１３ｂの上面に見切材１６が設けられているため、この見切材１６によって、ハンガー類Ｈが引っ掛けられる下側突出片１３ｂの上面を保護することができる。その上、見切材１６の前端部は前方に露出するので、ハンガー類Ｈを引っ掛ける部位として目に付きやすくすることができる。
【００６３】
また、下側突出片１３ｂは、補強アングル２０の支持板部２０ｂ芯材とし、当該支持板部２０ｂを巻き込むようにして被覆する化粧板１５を含んで構成されているので、支持板部２０ｂを遮蔽しつつ下側突出片１３ｂを補強することができ、見栄えが良い。
また、支持板部２０ｂを被覆する化粧板１５のうち上面板部１５ｃが、補強部の上面における前端側を被覆することで、上面板部１５ｃと支持板部２０ｂの上面とに段差が形成されることになる。そして、当該段差を、ハンガー類Ｈを引っ掛けることが可能な引掛部１３ｄとして利用できるため、支持板部２０ｂを遮蔽しつつ引掛部１３ｄを構成することができ、都合が良い。
【００６４】
また、補強部である補強アングル２０は、溝部１３ａの奥側面に固定される固定板部２０ａと、固定板部２０ａの下端部に一体形成されるとともに前方に突出する支持板部２０ｂと、有するので、下側突出片１３ｂに引っ掛けられたハンガー類Ｈの荷重を、固定板部２０ａを通じて溝部１３ａの奥側面にも分散することができる。
【００６５】
また、固定板部２０ａは、当該固定板部２０ａの前面側に設けられた化粧材２１によって遮蔽されているので、固定板部２０ａの露出を防ぐことができ、見栄えが良い。
【００６６】
また、棚板１０は、コア材として軽量基材１７を備えたフラッシュ構造とされているので、強度を維持しつつ軽量化を図ることができる。そのため、棚板１０が設けられる壁２の負担を軽減できる。
【００６７】
また、部屋１内の壁２に設けられた棚板１０が、壁２に形成された開口部３よりも上方に配置されているので、棚板１０の突出方向側端部１３にハンガー類Ｈによって吊るされた衣類等が濡れていた場合に、開口部３を通過する空気によって乾燥させることができる。
【００６８】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００６９】
〔変形例１〕
本変形例においては、図７に示すように、棚板１０と、この棚板１０と略等しい厚み寸法に設定された他の棚板３０とが、部屋１内の壁２，２ａに設けられている。
【００７０】
他の棚板３０は、コア材の一部として軽量基材１７を備えたフラッシュ構造とされており、同サイズの木製棚板に比して軽量である。
このような他の棚板３０は、図８に示すように、壁２ａに取り付けられる受部３１と、この受部３１に対して固定されるフラッシュ構造の棚板本体３２と、を基本構造としている。
棚板本体３２の突出方向側端部３３は、当該突出方向側端部３３の前端面における幅方向に沿って形成された溝部３３ａと、溝部３３ａの下側に位置し、かつ、引掛部１３ｄを有しない下側突出片３３ｂと、溝部３３ａの上側に位置する上側突出片３３ｃと、を備えて凹型に形成されている。
さらに、棚板本体３２の基端部３４には、受部３１が嵌め込まれる嵌合溝３４ａが形成されている。
【００７１】
また、棚板本体３２は、コア材と、コア材を被覆する化粧板３５と、を備えている。換言すれば、棚板本体３２は、表面の大部分が化粧板３５によって被覆されており、この化粧板３５によって被覆された部分が、コア材とされている。
さらに、コア材には、ペーパーハニカム等からなる軽量基材３７と、軽量基材３７の前端部に設けられた固定下地材３８と、この固定下地材３８の上下面のそれぞれに設けられた突出下地材３９と、溝部３３ａの奥側面を化粧する化粧材４１と、が含まれている。
化粧材４１は、固定下地材３８の前端面に取り付けられている。
なお、固定下地材３８は、図８の例においては、前端部側の第一部位３８ａと後端部下側の第二部位３８ｂが別体とされているが、これら第一部位３８ａと第二部位３８ｂは一体であってもよい。
【００７２】
すなわち、他の棚板３０は、下側突出片３３ｂが、突出下地材１９と化粧板３５とによって構成されている点で、棚板１０と大きく異なる構成となっているが、その他の部分では類似する構成となっている。
下側突出片３３ｂを構成する下側の化粧板３５は、補強部を芯材としておらず、引掛部を有しないので、ハンガー類Ｈを引っ掛ける部分としては、棚板１０に比して好ましくない。
【００７３】
図６に示す部屋１は、一方の壁２と、この一方の壁２に直交する壁２ａを備え、これら双方の壁２，２ａによって入隅コーナー部２ｂが形成された状態となっている。
また、一方の壁２には、部屋１の内部と外部とを連通する開口部３が形成されており、棚板１０は、壁２のうち開口部３よりも上方に配置されている。
そして、本変形例においては、棚板１０及び他の棚板３０が、壁２，２ａに並んで配置されている。
【００７４】
より詳細に説明すると、棚板１０及び他の棚板３０における入隅コーナー部２ｂ側の端部が、上面視において斜めにカットされたような状態になっており、これら隣接する端部同士が当接される形で、双方の壁２，２ａに設けられている。
すなわち、棚板１０と他の棚板３０は、双方の壁２，２ａに対して、上面視においてＬ字状になるように並べられて配置されている。
【００７５】
本変形例によれば、棚板１０と略等しい厚み寸法に設定され、引掛部１３ｄを有しない他の棚板３０における突出方向側端部３３が、棚板１０と同様に、溝部３３ａと下側突出片３３ｂと上側突出片３３ｃとを備えて凹型に形成されているので、類似する形状の複数の棚板１０，３０が部屋１内の壁２に並んで配置されることになる。これにより、部屋１内の印象を、引掛部１３ｄを有する棚板１０だけを部屋１内の壁２に設けた場合とは異なるものとすることができ、見栄えの良さを向上させるのに貢献できる。
また、このように類似する形状の複数の棚板１０，３０が部屋１内の壁２に並んで配置された場合でも、ハンガー類Ｈを引っ掛ける場所を確保できるので、使い勝手が良い。さらに、見切材１６によって、ハンガー類Ｈを引っ掛けることができる場所を目立たせることができる。
さらに、棚板１０の端部と、他の棚板３０の端部とを連結して一体化した場合には、直交する双方の壁２，２ａに対してＬ字状の棚板を取り付けることになるので、一方の壁だけに棚板を取り付ける場合に比して、取付強度を向上させることができる。
【００７６】
〔変形例２〕
本変形例においては、図９に示すように、棚板１０及び他の棚板３０が、同一の壁２に対して並んで配置されている。
すなわち、本変形例における棚板１０と他の棚板３０は、互いに接触してはいないものの、類似するデザインの棚板１０，３０を、同一の壁２に並べて配置することで、壁２全体の意匠性を高めている。これにより、部屋１内の印象を、引掛部１３ｄを有する棚板１０だけを部屋１内の壁２に設けた場合とは異なるものとすることができ、見栄えの良さを向上させるのに貢献できる。
また、このように類似する形状の複数の棚板１０，３０が部屋１内の壁２に並んで配置された場合でも、ハンガー類Ｈを引っ掛ける場所を確保できるので、使い勝手が良い。さらに、見切材１６によって、ハンガー類Ｈを引っ掛けることができる場所を目立たせることができる。
【００７７】
〔変形例３〕
上述の実施形態においては、固定下地材１８は、第一部位１８ａと第二部位１８ｂから構成された一体物であるとしたが、これら第一部位１８ａと第二部位１８ｂは別体であってもよい（例えば図８の第一部位３８ａ及び第二部位３８ｂ参照。）。この場合、第二部位１８ｂは、第一部位１８ａの後端面の上側に取り付けられており、第一部位１８ａの上面と第二部位１８ｂの上面は面一となっている。また、第一部位１８ａと第二部位１８ｂは、端面同士が接着剤によって強固に接合固定されている。
固定下地材１８は、このように第一部位１８ａと第二部位１８ｂとが別体の構成であっても、第一部位１８ａと第二部位１８ｂとが一体の構成である場合と同様に、側受部１１０の前端部に形成された切欠凸部１１０ａに対応でき、棚板１０の軽量化にも貢献できる。
【００７８】
〔変形例４〕
本変形例においては、図示はしないが、壁２又は受部１１から突出する突出部材によって棚板１０の鉛直荷重が支持されている。
突出部材は、上述の側受部１１０と略同サイズ・略同形状とされている。
さらに、突出部材は、上述の側受部１１０が、棚板１０における直交する壁２ａ側の端部１４０に配置されるのに対し、当該突出部材は、棚板１０における壁２ａ側の端部１４０とは反対側の端部や、棚板１０の幅方向中央側に配置されるようになっている。
なお、突出部材の前端部は、上述の側受部１１０と同様に、固定下地材１８の切欠きに対応するように凸部を有している。また、突出部材の後端部（基端部）は、壁２に対して強固に固定されていることが望ましい。
また、このような突出部材が用いられる場合、棚板本体１２を構成する軽量基材１７は、突出部材を避けるようにして上下の化粧板１５間に設けられるものとする。
このような突出部材を用いることによって、例えば、棚板１０における幅方向の寸法が比較的長尺である場合や、棚板１０の突出寸法が比較的長尺である場合であっても、棚板１０の鉛直荷重を支持することができる。
【符号の説明】
【００７９】
Ｈ  ハンガー類
１  部屋
２  壁
３  開口部
４  カーテン
４ａ  カーテンレール
１０  棚板
１１  受部
１２  棚板本体
１３  突出方向側端部
１３ａ  溝部
１３ｂ  下側突出片
１３ｄ  引掛部
１３ｃ  上側突出片
１４  基端部
１４ａ  嵌合溝
１５    化粧板
１５ｃ  上面板部
１６  見切材
１７  軽量基材
１８  固定下地材
１９  突出下地材
２０  補強アングル（補強部）
２０ａ  固定板部
２０ｂ  支持板部
２１  化粧材
２２  補強構造部
３０  他の棚板
３３  突出方向側端部
３３ａ  溝部
３３ｂ  下側突出片
３３ｃ  上側突出片
【図１】
2019063379.tif 000003
【図２】
2019063379.tif 000004
【図３】
2019063379.tif 000005
【図４】
2019063379.tif 000006
【図５】
2019063379.tif 000007
【図６】
2019063379.tif 000008
【図７】
2019063379.tif 000009
【図８】
2019063379.tif 000010
【図９】
2019063379.tif 000011